(57)【要約】【課題】浴槽底面や浴室床面で滑り止め機能を十分に発揮し、使い勝手や使用感の良い浴用マットを提供する。【解決手段】軟弾性素材で成形された板状のマット本体１の少なくとも隅部の複数箇所に、硬質樹脂製の取付基体７と軟質樹脂製の吸盤本体８とからなる吸盤２を着脱可能に嵌合して保持する。【選択図】  図２
2004248698.tif 000002
【特許請求の範囲】
【請求項１】
軟弾性素材で成形された板状のマット本体の少なくとも隅部の複数箇所に、吸盤を嵌合して保持したことを特徴とする浴用マット。
【請求項２】
マット本体は縦横方向に所定間隔に設けられた多数の貫通孔が開設され、吸盤は硬質樹脂製の取付基体と軟質樹脂製の吸盤本体とからなり、前記取付基体を前記貫通孔に着脱可能に嵌合できるように構成した請求項１記載の浴用マット。
【請求項３】
マット本体は軟弾性素材を格子状に成形することで、全面に多数の貫通孔が開設されている請求項２記載の浴用マット。
【請求項４】
マット本体における隣り合う貫通孔間の境界部に、前記貫通孔間に連通する溝部が形成されている請求項２または３に記載の浴用マット。
【請求項５】
マット本体の貫通孔に、磁石または指圧用凸状体を着脱可能に嵌合できるように構成した請求項２〜４のいずれか１項に記載の浴用マット。
【請求項６】
軟弾性素材は、ブラックシリカやセラミックが混合され遠赤外線を放射するように成形されている請求項１〜５のいずれか１項に記載の浴用マット。
【発明の詳細な説明】
【０００１】
【発明の属する技術分野】
本発明は、浴槽底面や浴室床面に敷設して使用される浴用マットに関するものでる。
【０００２】
【従来の技術】
従来より、浴室床面での冷たい感触を避けたり足が滑るのを防止するために、発泡合成樹脂製の浴用マットが広く用いられている。ところがこの浴用マットでは、クッション性は良好になるものの浴用マット自体が床面に対して滑ってしまい十分な滑り止めを果たせないという問題や、その材質からお湯を入った浴槽底面では使用できないという問題がある。
【０００３】
そこで、ゴム等の軟弾性素材や軟質塩化ビニル等の軟質樹脂を用い、シート本体と多数の吸盤本体とを一体成形してなる浴用マットが提案されている。この浴用マットは、その材質から浴室床面だけでなく浴槽底面にも敷設が可能で、吸盤本体付きであるために敷設面に対して滑ってしまうおそれもない。
【０００４】
【発明が解決しようとする課題】
ところが、上記従来例においては、シート本体が浴槽内に沈めて使用するのに好適な軟弾性素材で成形されることが多いが、同素材で一体成形される吸盤本体は吸着力が弱くなり、十分な滑り止め機能を発揮できないという問題がある。また、吸盤本体の吸着力を強くするため全体をキメの細かい軟質樹脂で成形すれば、シート本体の弾力性や強度が低下してクッション機能が損なわれて使用感が悪くなるという問題が生じる。また、マット本体と吸盤本体が一体になっているので、浴槽を洗浄する際には多数の吸盤本体を浴槽底面から取外す必要があるため、非常に手間がかかると共に、その着脱を繰り返すことによって吸盤本体の吸着力が低下して滑り止め機能も低下するという問題もある。
【０００５】
そこで本発明は上記問題点に鑑み、浴室床面は勿論、浴槽底面においても滑り止め機能を十分に発揮すると共に、使い勝手や使用感の良い浴用マットを提供することを目的とするものである。
【０００６】
【課題を解決するための手段】
本発明は上記目的を達成するため、軟弾性素材で成形された板状のマット本体の少なくとも隅部の複数箇所に、吸盤を嵌合して保持したことを特徴とするものである。
【０００７】
上記発明によれば、マット本体と吸盤が別体成形されているので、それぞれ別素材で成形することが可能となり、浴槽底面に敷設して使用する場合には、吸盤の吸着部分を、水中でも十分な吸着力を発揮できるようにキメ細かい軟質樹脂等で薄肉成形し、その基部を何らかの方法でマット本体の隅部の適当箇所に嵌合して保持させ、浴槽底面に吸着させることによって、水中でも十分な滑り止め機能を発揮することができる。そして入浴時には、弾力性のあるマット本体が入浴者の身体に圧接して適度なクッション機能を発揮し、使用感が良好になる。また、浴槽洗浄時や浴用マット不要時には、吸盤を浴槽底面に吸着させたままでマット本体との嵌合を解除してマット本体のみを取り外すことができ、頻繁にマット全体を取り外す必要がなくなるので、使い勝手が良くなると共に、吸盤の吸着部分の耐久性が向上し滑り止め機能を維持できる。一方、浴室床面に敷設して使用する場合には、水中より更に滑り止め機能を発揮することができるし、入浴時同様に身体に接してクッション機能を発揮する。また、軟弾性素材自体が滑り止めの機能があるので、浴室床面の状態によっては吸盤を外してマット本体の単独使用も可能になる。
【０００８】
上記発明において、マット本体に縦横方向に所定間隔に多数の貫通孔を開設し、吸盤を硬質樹脂製の取付基体と軟質樹脂製の吸盤本体とで構成し、前記取付基体を前記貫通孔に着脱可能に嵌合できるように構成すれば、吸盤のうち、マット本体の貫通孔に嵌合する取付基体は硬質樹脂製であるので吸盤とマット本体との着脱動作が容易になり、軟質樹脂製の吸盤本体は優れた吸着力を発揮する。また、貫通孔が多数設けられていることで通気性が良好になり軽量化を図ることができるし、取付基体の形状を貫通孔に対応させることによって、貫通孔を取付基体の取付孔として兼用することもできる。また貫通孔を、マット本体を格子状に成形することで全面に多数開設すれば、格子状に区画された矩形孔がそのまま貫通孔として形成でき、特別に貫通孔を穿設する手間がない上に素材が少なくて済むので、その分のコストを抑えることができる。
【０００９】
上記発明において、マット本体における隣り合う貫通孔間の境界部に、前記貫通孔間に連通する溝部を形成すると、浴室床面に敷設して使用する場合に水はけがよくなって好適である。尚、溝部は少なくとも表面側（浴室側）に形成すると好適である。
【００１０】
上記発明において、マット本体の貫通孔に、磁石または指圧用凸状体を着脱可能に嵌合できるように構成すると、点在する多数の貫通孔に対して、磁石や指圧用凸状体を選択的、つまり使用者の好みや症状に応じて任意の数、位置を選択して取付けることができる。特に浴槽底面に敷設して使用する場合に、その磁気による血行促進作用や、凸状体によるツボ刺激作用により、入浴者の健康を増進させる効果が期待できる。
【００１１】
上記発明において、軟弾性素材を、ブラックシリカやセラミックが混合され遠赤外線を放射するように成形すると、人体細胞の活性化と新陳代謝を円滑にする効果を発揮し、上述した磁気や指圧による各作用と相乗して一層の血行増進効果が期待できる。
【００１２】
【発明の実施の形態】
以下、本発明に係る実施形態について、図１〜図９を用いて説明する。
【００１３】
図１および図２は本実施形態の浴用マットを示し、図１は平面図、図２は側面図である。
【００１４】
この浴用マットは、エラストマーやゴム等の軟弾性素材で成形された板状のマット本体１の少なくとも隅部の複数箇所に、吸盤２が着脱可能に嵌合して保持されたものである。前記軟弾性素材には、ブラックシリカやセラミックを混合して遠赤外線を放射するように成形すると好適であり、人体細胞の活性化と新陳代謝を円滑にする効果を発揮し、上述した磁気や指圧による各作用と相乗して一層の血行増進効果が期待できる。
【００１５】
本実施形態では、マット本体１に開設される後記貫通孔５を利用し、吸盤２のほかに磁石３や指圧用凸状体４（いずれも取付基体７を用いて嵌合されている。）をも着脱可能に嵌合できるように構成されている。
【００１６】
マット本体１は正方形状にかつ格子状に成形することで縦横方向に一定間隔に並んだ多数の貫通孔５が開設され、この貫通孔５が通気孔としてまた吸盤２を嵌合するための取付孔として機能する。本実施形態では格子状にして貫通孔５を全面に多数開設しているので、格子状に区画された矩形孔がそのまま貫通孔５として形成でき、特別に貫通孔を穿設する手間がない上に素材が少なくて済むので、その分のコストを抑えることができる。貫通孔５は図６および図８に示すようにその周縁にテーパ部５ａが形成された額縁型となっている。
【００１７】
吸盤２は図３〜図５に示すように、硬質樹脂製の取付基体７と軟質樹脂製の吸盤本体８とからなり、取付基体７がマット本体１の貫通孔５に嵌合される。取付基体７は、貫通孔５に嵌入される取付基体７の胴部７ａが貫通孔５の外形と大きさに対応してほぼ断面正方形状に形成され、胴部７ａには吸盤本体８の基部８ａが挿入される挿入孔７ｂが形成される。また、下面周囲の４角部には突条７ｃが胴部７ａより側方に張り出して形成される一方、上端辺には突条７ｄが前記突条７ｃと互い違いで、且つ突条７ｃよりもやや小さく側方に張り出すように形成されている。突条７ｄの下面および突条７ｃ上面は、貫通孔５の周縁のテーパ部５ａに対応したテーパ面となっており、胴部７ａが貫通孔５に嵌入されたときに、テーパ部５ａに係止して、取付基体７ひいては吸盤２のマット本体１からの不用意な離脱を防止している。
【００１８】
突条７ｃ、７ｄは、上下に重なりなく配されることにより、射出成形時に金型からの成形品の取出しが容易になるので、取付基体７の成形が容易になり製造コストを抑えることができる。しかし、その張り出し形状は、使用中の離脱を防止できるものであれば、本実施形態に示すものに限定されない。
【００１９】
吸盤本体８の吸着部８ｂは、伏せ碗形状に薄肉形成され、その開口に向けてさらに薄肉化することによって、吸着面に吸盤本体８を押し付けて吸着させた後は容易に剥離されないようにしている。また、吸着部８ｂには、指先でつまんで吸盤２を敷設面から取り外すための耳片８ｃが一体成形されている。
【００２０】
本実施形態の浴用マットにおいては、貫通孔５には吸盤２だけでなく、磁石３や指圧用の凸状体４も取付基体７と一体化して取付けられる。磁石３や凸状体４は詳しくは図示しないが、取付基体７を用いた吸盤２のマット本体１への取付け方法とほぼ同様である。ただ、吸盤２用の取付基体７では吸盤２の基部８ａが挿入される挿入孔７ｂが貫通しているのに対し、磁石３や凸状体４に用いる取付基体７は、磁石３や凸状体４を収容する嵌入穴が形成された有底形状をなしている。そして前記嵌入穴に磁石３や凸状体４が嵌入されて上方が露出し、図６に示すようにマット本体１の上面より突出するように構成されている。もう１つ違う点は、突条７ｃと７ｄの配置が上下逆になっている点である。こうすることによって、マット本体１を取り外す際に、吸盤２は浴槽底面に吸着された状態で残り、磁石３や凸状体４の取付基体７はマット本体１の貫通孔５に嵌入されたままで残るようになる。尚、取付基体７と一体化された磁石３や凸状体４の部分をマット本体１から取り外す際には、マット本体１をいったん取り外した後に、裏面から取付基体７を指で押さえる等して上方に取り外すようにする。
【００２１】
磁石３はフェライト磁石からなる１０００ガウスの永久磁石が好適であり、凸状体４は、磁石３とほぼ同形状で取付基体４より硬質で、且つマイナスイオンを発生する樹脂で成形する（例えばトルマリンの粉末を全体の数％に練り込む。）と好適である。このように磁石３や凸状体４をマット本体１に取付けると、特に浴槽底面に敷設して使用する場合に、その磁気による血行促進作用や、凸状体４によるツボ刺激作用により、入浴者の健康を増進させる効果が期待できる。
【００２２】
以上のように各部が構成された浴用マットを、図１と図２に示す１例で全体構成を説明する。
【００２３】
この浴用マットは、格子状に形成することで多数の貫通孔４が形成される。それら周縁には前記テーパ面５ａがそれぞれ形成される。この１例では１６個×１６個の貫通孔５に対し吸盤２を４隅に４個、その部分を除く周辺部に凸状体４を８個、中央部に磁石３を８個、それぞれ配置しており、その他の貫通孔５を通気孔としているが、それらの個々の数や配置は使用者の好みや使用目的（浴室用か浴槽用か）に応じて任意に設定することができる。このように構成された浴用マットは、図７に示すように、浴槽９の底面に敷設して使用することができる。
【００２４】
この浴用マットによれば、マット本体１と吸盤２が別体成形されているので、図７に示すように使用する場合には、吸盤２の吸盤本体８を、水中でも十分な吸着力を発揮できるようにキメの細かい軟質樹脂等で成形し、それを取付基体７を利用してマット本体１の４隅に嵌合し浴槽９の底面に吸着させることによって、水中でも十分な滑り止め機能を発揮することができる。そして入浴時には、弾性力のあるマット本体１が入浴者の身体に圧接して適度なクッション機能を発揮して使用感が良好になる。また、浴槽洗浄時や浴用マット不要時には、吸盤２を浴槽底面に吸着させたままでマット本体１との嵌合を解除してマット本体１のみを取り外すことができ、頻繁にマット全体を取り外す必要がなく、使い勝手が良くなると共に、吸盤の吸着部分の耐久性が向上し滑り止め機能を維持できる。
【００２５】
一方、図示はしないが、浴室床面に敷設して使用する場合には、水中より更に滑り止め機能を発揮することができるし、入浴時同様に身体に対してクッション機能も発揮する。また、エラストマーやゴム等の素材特性によりマット本体１自体でも滑り止めの機能があるので、浴室床面の状態によっては吸盤２を外して単独使用も可能になる。
【００２６】
また本実施形態では、マット本体１を格子状に形成することで多数の貫通孔５を設け、吸盤２のうち硬質樹脂製の取付基体７が貫通孔５に嵌合できるので、吸盤２とマット本体１との着脱動作が容易になり、軟質樹脂製の吸盤本体８は優れた吸着力を発揮する。また、貫通孔５が多数設けられていることで通気性が良好になり軽量化を図ることができるし、取付基体７の形状を貫通孔に対応させることによって、貫通孔５を取付基体７の取付孔として兼用することができる。
【００２７】
図８および図９は本実施形態の変形例であり、その要部を、吸盤２等が取付けられていないマット本体１Ａのみの状態で示している。この実施形態では、マット本体１Ａにおける隣合う貫通孔５間の境界部６に、貫通孔５間に連通する溝部６ａが形成されている。この変形例のマット本体１Ａを用いることによれば、浴用マットを浴室床面に敷設して使用する場合に水はけがよくなって好適である。尚、溝部６ａは少なくとも表面側（浴室側）に形成すると好適である。
【００２８】
【発明の効果】
以上説明したように本発明によれば、マット本体と吸盤とを別体に形成し、吸盤の素材や形状を工夫してマット敷設面に対する吸着力を発揮させるようにでき、浴室床面は勿論、浴槽内に沈めてその底面に敷設しても十分な滑り止め機能を発揮することができる。また、マット本体が入浴者の身体を圧接してクッション機能を発揮して使用感が良好になる。さらに、吸盤を浴槽底面に残してマット本体のみを取り外すことができ、使い勝手が良くなると共に、滑り止め機能を長期間維持できる。
【図面の簡単な説明】
【図１】本発明の実施形態における浴用マットを示す平面図。
【図２】同実施形態における浴用マットを示す側面図。
【図３】同実施形態の浴用マットに用いる吸盤を示す斜視図。
【図４】同実施形態の浴用マットに用いる吸盤を示す平面図。
【図５】同実施形態の浴用マットに用いる吸盤を一部断面して示す側面図。
【図６】同実施形態における吸盤、磁石または指圧用凸状体の嵌合部分を示す縦断側面図。
【図７】同実施形態の使用状態を示す概略図。
【図８】同実施形態の変形例の要部を示す平面図。
【図９】図８のＡ−Ａ線断面図。
【符号の説明】
１、１Ａ  マット本体
２  吸盤
３  磁石
４  指圧用凸状体
５  貫通孔
６  境界部
６ａ  溝部
７  取付基体
８  吸盤本体
【図１】
2004248698.tif 000003
【図２】
2004248698.tif 000004
【図３】
2004248698.tif 000005
【図４】
2004248698.tif 000006
【図５】
2004248698.tif 000007
【図６】
2004248698.tif 000008
【図７】
2004248698.tif 000009
【図８】
2004248698.tif 000010
【図９】
2004248698.tif 000011